(57)【特許請求の範囲】
【請求項１】
筐体（40）と、
上記筐体（40）内に設けられた圧縮機（21）と、
上記筐体（40）内に立設された２つのヘッダ集合管（51,52）と、該２つのヘッダ集合管（51,52）の間に上下方向に配列され、一端が一方のヘッダ集合管（51,52）へ差し込まれ、他端が他方のヘッダ集合管（51,52）へ差し込まれた複数の扁平管（53）と、該扁平管（53）に接合された複数のフィン（55）とを有するアルミニウム製の熱交換器（23）とを備えた空調機の室外機であって、
上記筐体（40）の側板（42b,42c）に固定された取付板（97）と上記ヘッダ集合管（51,52）とに固定され、上記熱交換器（23）を上記筐体（40）に固定するブラケット（96）と、
上記筐体（40）の底板（41）上に設けられ、絶縁性を有し、上面が上記ヘッダ集合管（51,52）の下面に接した状態で上記ヘッダ集合管（51,52）を下から支持する支持部（91b）を有するゴム部材（91）と、
上記ヘッダ集合管（51,52）の近傍の部品から該ヘッダ集合管（51,52）へ向かって延び、上記ゴム部材（91）の近傍に位置する一方、上記ヘッダ集合管（51,52）の側方への移動に伴って上記ゴム部材（91）に当接して上記ヘッダ集合管（51,52）の側方への移動を規制する規制部（101）とを備えている
ことを特徴とする空調機の室外機。
【請求項２】
請求項１において、
上記ゴム部材（91）は、上記ヘッダ集合管（51,52）に外接する絶縁性の外接部（91c）を有し、
上記規制部（101）は、上記外接部（91c）を介して上記ヘッダ集合管（51,52）の移動を規制する
ことを特徴とする空調機の室外機。
【請求項３】
請求項２において、
上記規制部（101）は、上記外接部（91c）に対して面接触した状態で、上記ヘッダ集合管（51,52）の移動を規制する
ことを特徴とする空調機の室外機。
【請求項４】
請求項２または３において、
上記外接部（91c）は、上記支持部（91b）に連続して形成され、上記支持部（91b）の上面から上方へ突出して上記ヘッダ集合管（51,52）に外接する
ことを特徴とする空調機の室外機。
【請求項５】
請求項１乃至４の何れか一項において、
上記規制部（101）は、略水平で且つ上記扁平管（53）の伸長方向に対して略垂直な方向から上記ヘッダ集合管（51,52）の移動を規制する
ことを特徴とする空調機の室外機。
【発明の詳細な説明】
【技術分野】
【０００１】
本発明は、空調機の室外機に関し、特に、搭載される熱交換器のヘッダ集合管の位置ずれ対策に係るものである。
【背景技術】
【０００２】
従来より、空調機の室外機に搭載されるパラレルフロー型の熱交換器が知られている。例えば、特許文献１に開示の熱交換器は、アルミニウム製であって、立設された２つのヘッダ集合管と、該２つのヘッダ集合管の間に上下方向に配列され、一端が一方のヘッダ集合管へ差し込まれ、他端が他方のヘッダ集合管へ差し込まれた複数の扁平管と、該扁平管に接合された複数のフィンとを備えている。この熱交換器では、扁平管内を流れる冷媒とフィンの間を通過する空気との間で熱交換が行われる。
【０００３】
従来の熱交換器では、筐体の底板上に絶縁性のゴム部材を設けて、ヘッダ集合管を下から支持する場合がある。こうすることで、熱交換器を防振し、さらに、ヘッダ集合管と底板との間を絶縁してヘッダ集合管の腐食（電食）を防止している。
【先行技術文献】
【特許文献】
【０００４】
【特許文献１】特開２０１０−２４９３８８号公報
【発明の概要】
【発明が解決しようとする課題】
【０００５】
しかし、このゴム部材を粘着剤で固定すると、熱交換器から滴下する凝縮水が粘着剤へ入り込んでその粘着力が低下するため、ゴム部材がずれる場合がある。また、冷房運転時に、熱交換器で冷媒を凝縮させると、凝縮熱によってゴム部材が軟化して変形する場合がある。このような場合、ゴム部材上のヘッダ集合管の位置が大きくずれる虞があり、この位置ずれによって熱交換器の姿勢が傾いて接続配管等が歪むと、圧縮機の振動が共振して異音が発生するという問題が生じていた。
【０００６】
本発明は、かかる点に鑑みてなされたものであり、その目的は、ヘッダ集合管の位置ずれによる異音の発生を防止することにある。
【課題を解決するための手段】
【０００７】
第１の発明は、筐体（40）と、上記筐体（40）内に設けられた圧縮機（21）と、上記筐体（40）内に立設された２つのヘッダ集合管（51,52）と、該２つのヘッダ集合管（51,52）の間に上下方向に配列され、一端が一方のヘッダ集合管（51,52）へ差し込まれ、他端が他方のヘッダ集合管（51,52）へ差し込まれた複数の扁平管（53）と、該扁平管（53）に接合された複数のフィン（55）とを有するアルミニウム製の熱交換器（23）とを備えた空調機の室外機を対象としている。そして、上記筐体（40）の側板（42b,42c）に固定された取付板（97）と上記ヘッダ集合管（51,52）とに固定され、上記熱交換器（23）を上記筐体（40）に固定するブラケット（96）と、上記筐体（40）の底板（41）上に設けられ、絶縁性を有し、上面が上記ヘッダ集合管（51,52）の下面に接した状態で上記ヘッダ集合管（51,52）を下から支持する支持部（91b）を有するゴム部材（91）と、上記ヘッダ集合管（51,52）の近傍の部品から該ヘッダ集合管（51,52）へ向かって延び、上記ゴム部材（91）の近傍に位置する一方、上記ヘッダ集合管（51,52）の側方への移動に伴って上記ゴム部材（91）に当接して上記ヘッダ集合管（51,52）の側方への移動を規制する規制部（101）とを備えていることを特徴とする。
【０００８】
上記第１の発明では、ヘッダ集合管（51,52）の近傍に規制部（101）が設けられ、この規制部（101）によってヘッダ集合管（51,52）の移動が規制される。そのため、例えば、熱交換器（23）の姿勢が傾いてヘッダ集合管（51,52）の位置が大きくずれようとしても、このヘッダ集合管（51,52）の位置ずれが規制部（101）によって抑制される。
【０００９】
第２の発明は、第１の発明において、上記ゴム部材（91）は、上記ヘッダ集合管（51,52）に外接する絶縁性の外接部（91c）を有し、上記規制部（101）は、上記外接部（91c）を介して上記ヘッダ集合管（51,52）の移動を規制することを特徴とする。
【００１０】
上記第２の発明では、ヘッダ集合管（51,52）と規制部（101）との間に絶縁性の外接部（91c）を介在させた状態で、ヘッダ集合管（51,52）の移動が規制される。そのため、ヘッダ集合管（51,52）と規制部（101）とが、この外接部（91c）によって絶縁される。
【００１１】
第３の発明は、第２の発明において、上記規制部（101）は、上記外接部（91c）に対して面接触した状態で、上記ヘッダ集合管（51,52）の移動を規制することを特徴とする。
【００１２】
上記第３の発明では、規制部（101）と外接部（91c）とが面接触するため、外接部（91c）を介した規制部（101）の規制状態が安定化される。
【００１３】
第４の発明は、第２の発明または第３の発明において、上記外接部（91c）は、上記支持部（91b）に連続して形成され、上記支持部（91b）の上面から上方へ突出して上記ヘッダ集合管（51,52）に外接することを特徴とする。
【００１４】
上記第４の発明では、外接部（91c）と支持部（91b）とが、絶縁性の材料によって一体に形成されている。そのため、ヘッダ集合管（51,52）と底板（41）との間、及びヘッダ集合管（51,52）と規制部（101）との間が共に絶縁されると共に、部品点数が減少する。      
【００１５】
第５の発明は、上記第１乃至第５の何れか１の発明において、上記規制部（101）は、略水平で且つ上記扁平管（53）の伸長方向に対して略垂直な方向から上記ヘッダ集合管（51,52）の移動を規制することを特徴とする。
【００１６】
上記第５の発明では、熱交換器（23）は、略水平で且つ上記扁平管（53）の伸長方向に対して略垂直な方向に姿勢が傾き易く、ヘッダ集合管（51,52）の位置ずれもその方向に起き易い。しかし、上記第６の発明では、そのヘッダ集合管（51,52）の位置ずれが起き易い方向に規制部（101）が設けられている。そのため、頻度の高い第１ヘッダ集合管（51）の位置ずれが確実に抑制される。
【発明の効果】
【００１７】
第１の発明によれば、ヘッダ集合管（51,52）の近傍に規制部（101）を設け、この規制部（101）によってヘッダ集合管（51,52）の移動を規制するようにした。これにより、ヘッダ集合管（51,52）の位置ずれを抑制することができ、室外熱交換器（23）の姿勢を安定的に維持することができる。その結果、室外熱交換器（23）の姿勢が傾いて接続配管（75,76）が歪み、その歪みが原因で圧縮機（21）の振動が共振して異音が発生するのを防止することができる。
【００１８】
第２の発明によれば、ヘッダ集合管（51,52）に絶縁性の外接部（91c）を外接し、ヘッダ集合管（51,52）と規制部（101）との間にこの外接部（91c）を介在させた状態で、ヘッダ集合管（51,52）の移動を規制するようにした。これにより、ヘッダ集合管（51,52）と規制部（101）とを外接部（91c）によって絶縁することができ、ヘッダ集合管（51,52）の腐食（電食）を防止することができる。
【００１９】
第３の発明によれば、規制部（101）と外接部（91c）とを面接触させた状態で、ヘッダ集合管（51,52）の移動を規制するようにした。これにより、外接部（91c）を介した規制部（101）の規制状態を安定化させることができ、ヘッダ集合管（51,52）の位置ずれを確実に抑制して、異音防止の確実性を高めることができる。
【００２０】
第４の発明によれば、外接部（91c）とヘッダ集合管（51,52）を下から支持する支持部（91b）とを、絶縁性の材料によって一体に形成するようにした。これにより、ヘッダ集合管（51,52）と底板（41）との間、及びヘッダ集合管（51,52）と規制部（101）との間を共に絶縁することができ、ヘッダ集合管（51,52）の腐食（電食）を一層防止することができる。さらに、部品点数を減らしてコストダウンを図ることができると共に、部品の小型化を図ることができる。
【００２１】
第５の発明によれば、熱交換器（23）の姿勢が傾いてヘッダ集合管（51,52）が位置ずれし易い方向に、規制部（101）を設けるようにした。これにより、頻度の高いヘッダ集合管（51,52）の位置ずれを確実に抑制して、異音防止の確実性を高めることができる。
【図面の簡単な説明】
【００２２】
【図１】図１は、実施形態１の空調機の概略構成を示す冷媒回路図である。
【図２】図２は、実施形態１の室外機の外観斜視図である。
【図３】図３は、実施形態１の室外機の天板を外した状態の平面図である。
【図４】図４は、実施形態１の室外熱交換器の設置状態を示す斜視図である。
【図５】図５は、実施形態１の室外熱交換器の一部断面図である。
【図６】図６は、図５のＶＩ−ＶＩ断面の一部を拡大した断面図である。
【図７】図７は、実施形態１の室外機の天板と側板を外した状態の斜視図である。
【図８】図８は、図７の要部（位置ずれ抑制構造）を拡大した拡大図である。
【図９】図９は、実施形態１の位置ずれ抑制構造を示す平面図である。
【図１０】図１０は、図９のＸ−Ｘ断面図である。
【図１１】図１１は、その他の実施形態の位置ずれ抑制構造を示す縦断面図である。
【図１２】図１２（ａ）及び（ｂ）は、参照形態の位置ずれ抑制構造を示す縦断面図である。
【図１３】図１３（ａ）及び（ｂ）は、その他の実施形態の位置ずれ抑制構造を示す縦断面図である。
【図１４】図１４は、その他の実施形態の位置ずれ抑制構造を示す平面図である。
【発明を実施するための形態】
【００２３】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００２４】
《発明の実施形態１》
本発明の実施形態１について説明する。本実施形態の室外機（2）は、空調機（1）の一部を構成し、例えば屋外に設置される。以下では、まず空調機（1）の全体構成について説明し、次に室外機（2）の構成について説明する。
【００２５】
〈空調機の全体構成〉
図１に示すように、空調機（10）は、室外機（11）と室内機（12）とを備えている。室外機（11）と室内機（12）とは、液側連絡配管（13）およびガス側連絡配管（14）を介して接続されている。そして、室外機（11）と室内機（12）と液側連絡配管（13）とガス側連絡配管（14）とによって冷媒回路（20）が形成されている。
【００２６】
冷媒回路（20）は、圧縮機（21）、四路切換弁（22）、室外熱交換器（23）、膨張弁（24）、室内熱交換器（25）、及びアキュームレータ（26）を備えている。上記圧縮機（21）、四路切換弁（22）、室外熱交換器（23）、膨張弁（24）及びアキュームレータ（26）は、室外機（11）に収容されている。室外機（11）には、室外熱交換器（23）へ室外空気を供給する室外ファン（15）が設けられている。一方、室内熱交換器（25）は、室内機（12）に収容されている。室内機（12）には、室内熱交換器（25）へ室内空気を供給する室内ファン（16）が設けられている。
【００２７】
圧縮機（21）は、その吐出側が四路切換弁（22）の第１のポートに、その吸入側がアキュームレータ（26）を介して四路切換弁（22）の第２のポートに、それぞれ接続されている。また、冷媒回路（20）において、四路切換弁（22）の第３のポートから第４のポートへ向かって順に、室外熱交換器（23）、膨張弁（24）、及び室内熱交換器（25）が配置されている。
【００２８】
圧縮機（21）は、スクロール型またはロータリ型の全密閉型圧縮機である。四路切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００２９】
室外熱交換器（23）は、室外空気を冷媒と熱交換させるものであり、本発明の熱交換器を構成している。この室外熱交換器（23）については後述する。室内熱交換器（25）は、室内空気を冷媒と熱交換させるものである。室内熱交換器（25）は、円管である伝熱管を備えたいわゆるクロスフィン型のフィン・アンド・チューブ熱交換器によって構成されている。
【００３０】
アキュームレータ（26）は、冷媒を気液分離して、ガス冷媒のみを圧縮機（21）へ吸入させる。
【００３１】
〈空調機の運転動作〉
空調機（10）は、冷房運転と暖房運転を選択的に行う。
【００３２】
冷房運転中の冷媒回路（20）では、四路切換弁（22）を第１状態に設定した状態で、冷凍サイクルが行われる。この状態では、室外熱交換器（23）、膨張弁（24）、室内熱交換器（25）、アキュームレータ（26）の順に冷媒が循環する。室外熱交換器（23）では、圧縮機（21）から吐出された冷媒が、室外空気へ放熱して凝縮する。一方、室内熱交換器（25）では、膨張弁（24）を通過する際に膨張した冷媒が、室内空気から吸熱して蒸発する。室内機（12）は、吸い込んだ室内空気を室内熱交換器（25）へ供給し、室内熱交換器（25）において冷却された空気を室内へ吹き出す。
【００３３】
暖房運転中の冷媒回路（20）では、四路切換弁（22）を第２状態に設定した状態で、冷凍サイクルが行われる。この状態では、室内熱交換器（25）、膨張弁（24）、室外熱交換器（23）、アキュームレータ（26）の順に冷媒が循環する。室内熱交換器（25）では、圧縮機（21）から吐出された冷媒が、室内空気へ放熱して凝縮する。室内機（12）は、吸い込んだ室内空気を室内熱交換器（25）へ供給し、室内熱交換器（25）において加熱された空気を室内へ吹き出す。一方、室外熱交換器（23）では、膨張弁（24）を通過する際に膨張した冷媒が、室外空気から吸熱して蒸発する。
【００３４】
〈室外機の構成〉
次に、上記室外機（11）について、図２及び図３を参照しながら説明する。尚、ここでの説明で用いる「上」「下」「左」「右」「前」「後」は、特にことわらない限り、上記室外機（11）を正面側から見た場合の方向を意味している。
【００３５】
室外機（11）は、ケーシング（40）を備えている。このケーシング（40）は、縦長で略直方体状に形成された鉄製の箱体であって、本発明の筐体を構成している。このケーシング（40）は、底板（41）と、その底板（41）上に立設された前側板（42a）、左側板（42b）、後側板（42c）及び右側板（42d）と、各側板（42a〜42d）の上端に設置された天板（43）とを有し、左右の方向が長手方向となっている。
【００３６】
ケーシング（40）の内部には、前側板（42a）から後方に向かって（短手方向に）平面視円弧状に延びる仕切板（44）が立設されている。ケーシング（40）の内部空間は、この仕切板（44）によって、左側の送風機室（S1）と右側の機械室（S2）とに仕切られている。送風機室（S1）には、室外熱交換器（23）と室外ファン（15）とが収容されている。一方、機械室（S2）には、圧縮機（21）と、四路切換弁（22）（図３では図示省略）と、膨張弁（24）（図３では図示省略）と、アキュームレータ（26）とが収容されている。
【００３７】
ケーシング（40）の後側板（42c）には、送風機室（S1）側に後側吸入口（45a）が開口し、左側板（42b）には、左側吸入口（45b）が開口している。これら２つの吸入口（45a,45b）は、送風機室（S1）内へ空気（室外空気）を吸い込むためのものである。
【００３８】
ケーシング（40）の前側板（42a）には、送風機室（S1）側に吹出口（46）が開口している。この吹出口（46）は、送風機室（S1）内から外部へ空気（室外空気）を吹き出すためのものである。この吹出口（46）には、ファングリル（47）が嵌め込まれている。
【００３９】
〈室外熱交換器の構成〉
次に、上記室外熱交換器（23）について、図３〜図６を参照しながら説明する。
【００４０】
図３及び図４に示すように、室外熱交換器（23）は、平面視略L字状に形成され、送風機室（S1）内において、２つの吸入口（45a,45b）に対向するように設置されている。
【００４１】
図５に示すように、室外熱交換器（23）は、第１ヘッダ集合管（51）と、第２ヘッダ集合管（52）と、多数の扁平管（53）と、多数のフィン（55）とを備えている。第１ヘッダ集合管（51）、第２ヘッダ集合管（52）、扁平管（53）およびフィン（55）は、何れもアルミニウム製の部材であって、互いにロウ付けによって接合されている。
【００４２】
第１ヘッダ集合管（51）と第２ヘッダ集合管（52）は、何れも両端が閉塞された細長い円筒状に形成されている。図３に示すように、送風機室（S1）内において、第１ヘッダ集合管（51）は、後側板（42c）と仕切板（44）との間に立設され、第２ヘッダ集合管（52）は、前側板（42a）と左側板（42b）との角部に立設されている。
【００４３】
図６に示すように、扁平管（53）は、その断面が扁平な長円形状の伝熱管であり、内部には一列に並設された複数の流体通路（54）が形成されている。図５に示すように、複数の扁平管（53）は、それぞれの平坦な側面が対向する状態で、互いに一定の間隔をおいて上下方向に配列され、互いに実質的に平行となっている。
【００４４】
図３及び図４に示すように、扁平管（53）は、平面視略Ｌ字状に形成され、図３において左右方向（長手方向）に伸長する長辺部（53a）と、図３において前後方向（短手方向）に伸長する短辺部（53b）とを有している。扁平管（53）の長辺部（53a）は、後側吸入口（45a）に対向し、その端部が第１ヘッダ集合管（51）へ差し込まれ、その内部の複数の流体通路（54）が第１ヘッダ集合管（51）の内部空間に連通している。一方、扁平管（53）の短辺部（53b）は、左側吸入口（45b）に対向し、その端部が第２ヘッダ集合管（52）へ差し込まれ、その内部の複数の流体通路（54）が第２ヘッダ集合管（52）の内部空間に連通している。
【００４５】
図５及び図６に示すように、フィン（55）は、金属板をプレス加工することによって形成された縦長の板状フィンである。これら複数のフィン（55）は、互いに一定の間隔をおいて、扁平管（53）の伸長方向に配列され、隣接するフィン（55）の間を空気（室外空気）が吸入口（45a,45b）側から送風機室（S1）側へ通過するように構成されている。このフィン（55）には、風上側である吸入口（45a,45b）側に、切り欠き部（56）が上下方向に一定の間隔で形成されている。そして、各切り欠き部（56）の風下寄りの部分に、扁平管（53）が挿入されている。
【００４６】
図５に示すように、室外熱交換器（23）は、上側の主熱交換領域（61）と下側の補助熱交換領域（62）とに区分され、さらに各熱交換領域（61,62）が上下に三つずつの熱交換部（61a〜61c,62a〜62c）に区分されている。具体的に、主熱交換領域（61）には、下から上に向かって順に、第１主熱交換部（61a）と、第２主熱交換部（61b）と、第３主熱交換部（61c）とが形成されている。補助熱交換領域（62）には、下から上に向かって順に、第１補助熱交換部（62a）と、第２補助熱交換部（62b）と、第３補助熱交換部（62c）とが形成されている。各主熱交換部（61a〜61c）を構成する扁平管（53）の本数は、各補助熱交換部（62a〜62c）を構成する扁平管（53）の本数よりも多くなっている。
【００４７】
第１ヘッダ集合管（51）の内部空間は、仕切板（51a）によって、上側空間（71）と下側空間（72）とに仕切られている。上側空間（71）は、主熱交換領域（61）を構成する全ての扁平管（53）と連通し、下側空間（72）は、補助熱交換領域（62）を構成する全ての扁平管（53）と連通している。また、第１ヘッダ集合管（51）には、ガス側接続管（75）と液側接続管（76）とが接続されている。ガス側接続管（75）は、一端が第１ヘッダ集合管（51）の上部に接続されて上側空間（71）に連通し、他端が四路切換弁（22）の第３のポートに接続されている。液側接続管（76）は、一端が第１ヘッダ集合管（51）の下部に接続されて下側空間（72）に連通し、他端が膨張弁（24）に接続されている。
【００４８】
第２ヘッダ集合管（52）の内部空間は、主熱交換領域（61）に対応した主連通空間（81）と、補助熱交換領域（62）に対応した補助連通空間（82）とに区分されている。主連通空間（81）は、２枚の仕切板（52a）によって、下から上に向かって順に、第１部分空間（81a）、第２部分空間（81b）及び第３部分空間（81c）に仕切られている。各部分空間（81a〜81c）は、各主熱交換部（61a〜61c）を構成する全ての扁平管（53）と連通している。
【００４９】
補助連通空間（82）は、２枚の仕切板（52b）によって、下から上に向かって順に、第４部分空間（82a）、第５部分空間（82b）及び第６部分空間（82c）に仕切られている。各部分空間（82a〜82c）は、各補助熱交換部（62a〜62c）を構成する全ての扁平管（53）と連通している。
【００５０】
第２ヘッダ集合管（52）には、２本の連絡配管（85,86）が取り付けられている。第１連絡配管（85）は、その一端が第２部分空間（81b）に接続され、その他端が第５部分空間（82b）に接続される。第２連絡配管（86）は、その一端が第３部分空間（81c）に接続され、その他端が第４部分空間（82a）に接続される。また、第２ヘッダ集合管（52）では、第１部分空間（81a）と第６部分空間（82c）とが、互いに連続した一つの空間を形成している。
【００５１】
図４及び図７に示すように、室外熱交換器（23）は、ケーシング（40）内において、３つのゴム部材（91〜93）と４つの取付部材（95）とによって支持されている。
【００５２】
取付部材（95）は、各ヘッダ集合管（51,52）に２つずつ設けられている。図７に示すように、各取付部材（95）は、アルミニウム製のブラケット（96）と、鉄製の取付板（97）と、絶縁性の樹脂カバー（98）とを有している。ブラケット（96）が各ヘッダ集合管（51,52）に固定され、取付板（97）がケーシング（40）の各側板（42b,42c）に固定され、樹脂カバー（98）の内部でブラケット（96）と取付板（97）とが絶縁された状態で固定されている。こうすることで、ヘッダ集合管（51,52）とケーシング（40）との電気的な接触を回避し、ヘッダ集合管（51,52）の腐食（電食）を防止している。
【００５３】
図４に示すように、ゴム部材（91〜93）は、絶縁性を有する略板状のゴム材であって、粘着剤によって底板（41）上に粘着固定されている。第１ゴム部材（91）は、後側板（42c）と仕切板（44）との間に設けられ、第１ヘッダ集合管（51）を下から支持する。第２ゴム部材（92）は、後側板（42c）と左側板（42b）との角部に設けられ、複数のフィン（55）を下から支持する。第３ゴム部材（93）は、前側板（42a）と左側板（42b）との角部に設けられ、第２ヘッダ集合管（52）を下から支持する。これら３つのゴム部材（91〜93）は、室外熱交換器（23）を防振し、さらに、室外熱交換器（23）とケーシング（40）との電気的な接触を回避して、室外熱交換器（23）の腐食（電食）を防止している。
【００５４】
〈位置ずれ抑制構造〉
図８〜図１０に示すように、本実施形態の室外機（2）には、第１ヘッダ集合管（51）の位置ずれを抑制するため、位置ずれ抑制構造（100）が設けられている。この位置ずれ抑制構造（100）は、アキュームレータ脚（26a）と、規制部（101）と、上記第１ゴム部材（91）とを備えている。
【００５５】
アキュームレータ脚（26a）は、規制部（101）を支えるための支持部品であって、第１ヘッダ集合管（51）の近傍に設置されている。具体的に、アキュームレータ脚（26a）は、第１ヘッダ集合管（51）の前方に位置するアキュームレータ（26）の真下に設置されて、底板（41）の底面にネジで固定され、アキュームレータ（26）を下から支持している。
【００５６】
規制部（101）は、アキュームレータ脚（26a）に接続されている。この規制部（101）は、第１ヘッダ集合管（51）の動きを横から規制するものであり、規制板（102）と緩衝シート（103）とを有している。
【００５７】
規制板（102）は、鉄製の板材を折り曲げて形成され、延長部（102a）と、規制面部（102b）と、案内部（102c）とを有している。
【００５８】
延長部（102a）は、アキュームレータ脚（26a）を底板（41）に固定するためのネジで共締めすることによって、アキュームレータ脚（26a）に接続されている。延長部（102a）は、アキュームレータ脚（26a）から後方の第１ヘッダ集合管（51）へ向かって略水平に延びている。
【００５９】
規制面部（102b）は、延長部（102a）の後端（第１ヘッダ集合管（51）側の端部）を略９０度に折り曲げて形成され、鉛直方向上方へ延びている。この規制面部（102b）は、第１ヘッダ集合管（51）の下端が挿入される挿入部（91a）の前面（91d）（後述）と略平行に形成されている。そして、この挿入部（91a）の前面（91d）が規制面部（102b）上の緩衝シート（103）に接触することによって、第１ヘッダ集合管（51）の動きが規制される。
【００６０】
案内部（102c）は、規制面部（102b）の上端から前方（第１ヘッダ集合管（51）から離れる方向）へ略４５度折り曲げて形成されている。この案内部（102c）は、規制部（101）と底板（41）の後側の立ち壁（41a）との隙間を大きくするように形成されており、第１ヘッダ集合管（51）の取り付け時に、その隙間へ第１ヘッダ集合管（51）を案内する。
【００６１】
緩衝シート（103）は、ゴム製のシート材であって、規制面部（102b）及び案内部（102c）の後面（第１ヘッダ集合管（51）側の面）に貼着されている。この緩衝シート（103）は、アキュームレータ（26）の振動が規制板（102）を介して周辺部品へ伝播するのを防ぐものである。
【００６２】
図９に示すように、第１ゴム部材（91）は、平面視略長方形に形成され、その長辺側の側面が底板（41）の後側の立ち壁（41a）に接し、その裏面が底板（41）の底面に粘着剤で固定されている。そして、第１ゴム部材（91）の右側部分には、挿入部（91a）が形成されている。
【００６３】
挿入部（91a）は、規制部（101）と立ち壁（41a）との隙間に位置し、第１ヘッダ集合管（51）の下端が挿入される部分である。この挿入部（91a）は、支持部（91b）と外接部（91c）とを有している。
【００６４】
支持部（91b）は、第１ヘッダ集合管（51）を下から支持する部分であって、上面が平坦に形成され、その上面に第１ヘッダ集合管（51）の下面が接するようになっている。
【００６５】
外接部（91c）は、第１ヘッダ集合管（51）に外接する部分であって、支持部（91b）の上面から上方へ略環状に突出している。
【００６６】
挿入部（91a）は、前面（91d）が鉛直方向に形成されている。そして、この挿入部（91a）の前面（91d）と、規制面部（102b）上の緩衝シート（103）とが、若干の隙間を介して、略平行に向かい合っている。
【００６７】
〈第１ヘッダ集合管の位置ずれ抑制〉
室外機（2）では、粘着剤の粘着力が低下して第１ゴム部材（91）が横方向にずれたり、凝縮熱によって第１ゴム部材（91）が軟化して変形したりすることによって、第１ゴム部材（91）上の第１ヘッダ集合管（51）が大きくずれる虞があった。
【００６８】
この第１ヘッダ集合管（51）の位置ずれは、室外熱交換器（23）の姿勢が傾くことによって発生する場合が多い。本実施形態のように、室外熱交換器（23）が平面視略Ｌ字状の場合は、室外熱交換器（23）の姿勢が後方（扁平管（53）の長辺部（53a）の伸長方向に対して垂直な方向）へ傾いて、第１ヘッダ集合管（51）の下端が前方へ位置ずれすることが多かった。
【００６９】
しかし、本実施形態の室外機（2）では、第１ヘッダ集合管（51）の近傍に規制部（101）が設けられている。そして、第１ヘッダ集合管（51）の下端が挿入部（91a）に挿入され、その挿入部（91a）の前面（91d）と規制部（101）（緩衝シート（103））とが若干の隙間を介して略平行に向かい合っている。そのため、第１ヘッダ集合管（51）が挿入部（91a）を引き連れて前方へ動こうとすると、挿入部（91a）の前面（91d）が規制部（101）（緩衝シート（103））に接触して、第１ヘッダ集合管（51）はこれ以上前方へ動けなくなり、その結果、第１ヘッダ集合管（51）の前方への位置ずれが抑制される。
【００７０】
−実施形態の効果−
本実施形態では、第１ヘッダ集合管（51）の近傍に規制部（101）を設け、この規制部（101）によって第１ヘッダ集合管（51）の移動を規制するようにした。これにより、第１ヘッダ集合管（51）の位置ずれを抑制することができ、室外熱交換器（23）の姿勢を安定的に維持することができる。その結果、室外熱交換器（23）の姿勢が傾いて接続配管（75,76）が歪み、その歪みが原因で圧縮機（21）の振動が共振して異音が発生するのを防止することができる。
【００７１】
また、本実施形態では、絶縁性の第１ゴム部材（91）の挿入部（91a）へ第１ヘッダ集合管（51）を挿入するようにした。そして、その挿入部（91a）の前面（91d）を規制部（101）に接触させ、第１ヘッダ集合管（51）と規制部（101）との間に挿入部（91a）の外接部（91c）を挟んだ状態で、第１ヘッダ集合管（51）の移動を規制するようにした。これにより、第１ヘッダ集合管（51）と規制部（101）とを外接部（91c）によって絶縁することができ、アルミニウム製の第１ヘッダ集合管（51）の腐食（電食）を防止することができる。
【００７２】
また、本実施形態では、挿入部（91a）側の接触部分（前面（91d））と規制部（101）側の接触部分（緩衝シート（103））とを略平行に向かい合わせ、挿入部（91a）と規制部（101）とを面接触させるようにした。これにより、挿入部（91a）を介した規制部（101）による規制状態を安定化させることができ、第１ヘッダ集合管（51）の位置ずれをより確実に抑制して、異音防止の確実性を高めることができる。
【００７３】
また、本実施形態では、第１ヘッダ集合管（51）を下から支持する支持部（91b）と、第１ヘッダ集合管（51）に外接する外接部（91c）とを、絶縁性を有する第１ゴム部材（91）として一体に形成するようにした。これにより、第１ヘッダ集合管（51）と底板（41）との間、及び第１ヘッダ集合管（51）と規制部（101）との間を共に絶縁することができ、第１ヘッダ集合管（51）の腐食（電食）を一層防止することができる。さらに、部品点数を減らしてコストダウンを図ることができると共に、部品の小型化を図ることができる。
【００７４】
また、本実施形態では、室外熱交換器（23）の姿勢が傾いて第１ヘッダ集合管（51）が位置ずれし易い方向（本実施形態では、第１ヘッダ集合管（51）の前方）に、第１ヘッダ集合管（51）を規制するようにした。これにより、頻度の高い第１ヘッダ集合管（51）の位置ずれを確実に抑制することができ、異音防止の確実性を高めることができる。
【００７５】
《その他の実施形態》
上記実施形態については、以下のような構成にしてもよい。
【００７６】
上記実施形態では、第１ヘッダ集合管（51）と規制部（101）との間に外接部（91c）が挟まれた状態で、第１ヘッダ集合管（51）の動きが規制されている。しかし、規制部（101）による第１ヘッダ集合管（51）の規制状態はこれに限らない。
【００７７】
また、上記実施形態では、規制部（101）の規制板（102）に緩衝シート（103）を貼り付けている。しかし、規制部（101）の構成はこれに限らず、例えば、図１１に示すように、緩衝シート（103）を貼らずに、規制部（101）を規制板（102）だけで構成するようにしても良い。
【００７８】
また、上記実施形態では、規制部（101）と挿入部（91a）との間に、隙間が設けられている。この隙間は、規制部（101）と底板（41）の立ち壁（41a）との間の距離を大きくし、そこへ第１ヘッダ集合管（51）を挿入し易くするために設けられている。一方、図１２の（ａ）及び（ｂ）は、規制部（101）と挿入部（91a）との隙間を無くして、第１ヘッダ集合管（51）の位置ずれが全く起きない状態を形成する参照形態を示している。
【００７９】
また、上記実施形態では、第１ヘッダ集合管（51）を下から支持する支持部（91b）と、第１ヘッダ集合管（51）に外接する外接部（91c）とを、第１ゴム部材（91）として一体に形成している。しかし、図１３の（ａ）及び（ｂ）に示すように、支持部（91b）と外接部（91c）とを別個に形成し、第１ヘッダ集合管（51）と規制部（101）との間に外接部（91c）を挟んだ状態で、第１ヘッダ集合管（51）の動きを規制するようにしても良い。
【００８０】
また、上記実施形態では、挿入部（91a）側の接触面（前面（91d））と規制部（101）側の接触面（緩衝シート（103））とが、それぞれ平面状（平面視直線状）に形成されている。しかし、各接触面の形状はこれに限らず、例えば、図１４に示すように、第１ヘッダ集合管（51）の外周面に沿って、平面視円弧状に形成するようにしても構わない。この場合においても、挿入部（91a）と規制部（101）とを面接触させることができる。
【００８１】
また、上記実施形態では、アキュームレータ脚（26a）に規制部（101）が接続されている。しかし、規制部（101）を接続して支持する部品は、アキュームレータ脚（26a）以外でも良い。
【００８２】
また、上記実施形態では、第１ヘッダ集合管（51）に位置ずれ抑制構造（100）が設けられている。しかし、第２ヘッダ集合管（52）にも同様に、位置ずれを抑制するための位置ずれ抑制構造を設けるようにしても良い。
【産業上の利用可能性】
【００８３】
以上説明したように、本発明は、空調機の室外機に関し、特に、立設されたヘッダ集合管を有する室外熱交換器が搭載された室外機について有用である。
【符号の説明】
【００８４】
10    空調機
11    室外機
23    室外熱交換器（熱交換器）
40    ケーシング（筐体）
41    底板
51    第１ヘッダ集合管（ヘッダ集合管）
52    第２ヘッダ集合管（ヘッダ集合管）
53    扁平管
55    フィン
91b   支持部
91c   外接部
101   規制部
【図１】
0005447580.tif 000002
【図２】
0005447580.tif 000003
【図３】
0005447580.tif 000004
【図４】
0005447580.tif 000005
【図５】
0005447580.tif 000006
【図６】
0005447580.tif 000007
【図７】
0005447580.tif 000008
【図８】
0005447580.tif 000009
【図９】
0005447580.tif 000010
【図１０】
0005447580.tif 000011
【図１１】
0005447580.tif 000012
【図１２】
0005447580.tif 000013
【図１３】
0005447580.tif 000014
【図１４】
0005447580.tif 000015